(57)【要約】【課題】複数の電池セルを含み、エンドプレートの少なくとも一方が樹脂で形成された蓄電モジュールを提供する。【解決手段】電池モジュール１０は、電池セル３３が矢印８９に示す積層方向に積層された積層体と、積層体の両端に配置されたエンドプレート４０と、エンドプレート４０同士を締結する拘束バンド４２を備える。エンドプレート４０は、樹脂で形成されている。拘束バンド４２は、積層方向に延びる板状に形成されている。拘束バンド４２は、積層方向に対してほぼ垂直な向きに曲がるように形成された曲がり部を端部に有する。拘束バンド４２は、エンドプレート４０の表面のうち、積層体と接触する表面と反対側の表面において、端部がリベット５０によってエンドプレート４０に固定されている。【選択図】図１
2008053019.tif 000002
【特許請求の範囲】
【請求項１】
蓄電セルが一の積層方向に積層された積層体と、
前記積層体の前記積層方向の両端に配置されたエンドプレートと、
前記両端に配置された前記エンドプレート同士を締結する拘束部材と
を備え、
前記両端に配置された前記エンドプレートのうち少なくとも一方は樹脂で形成され、
前記拘束部材は、前記積層方向に延びる板状に形成され、
前記拘束部材は、前記積層方向に対してほぼ垂直な向きに曲がるように形成された曲がり部を端部に有し、
前記拘束部材は、前記エンドプレートの表面のうち、前記積層体と接触する表面と反対側の表面において、前記端部が締結部材によって前記エンドプレートに固定されている、蓄電モジュール。
【請求項２】
前記締結部材は、リベットを含む、請求項１に記載の蓄電モジュール。
【請求項３】
前記蓄電セルは、電極を有し、
前記電極は、前記積層体の表面のうち、前記拘束部材が配置されている表面から飛び出すように形成され、
前記拘束部材は、前記電極よりも高さが低くなっている、請求項１または２に記載の蓄電モジュール。
【請求項４】
前記積層体は、前記蓄電セルを前記積層方向に挟み込むように固定するための枠部材を含み、
前記枠部材は、前記蓄電セルから排出されるガスを流通させるための排ガス流路部を含み、
前記排ガス流路部は、前記積層方向に延びるように形成され、
前記排ガス流路部は、前記積層体の表面のうち、前記拘束部材が配置されている表面から突出するように形成され、
前記拘束部材は、前記排ガス流路部よりも高さが低くなっている、請求項１から３のいずれかに記載の蓄電モジュール。
【発明の詳細な説明】
【技術分野】
【０００１】
本発明は、蓄電モジュールに関する。
【背景技術】
【０００２】
電池パックには、単一の電池セルを備えるもののほかに、複数の電池セルが一体的に固定された電池モジュールを備えるものがある。電池パックは、電池モジュールが電池ケースに収容されている。電池モジュールは、大きな電流を取り出したり、大きな電圧を取り出したりすることができる。
【０００３】
近年、電動機を駆動源として用いる電気自動車や、電動機とその他の駆動源とを組み合わせたいわゆるハイブリッド電気自動車が実用化されてきている。電池モジュールを備える電池パックは、たとえば、このような自動車に搭載される。電池セルとしては、たとえば、繰り返し充放電が可能なニッケル−カドミウム電池、ニッケル−水素電池またはリチウムイオン電池などに代表される二次電池などが用いられる。
【０００４】
特開２００２−３４３３２４号公報においては、積層された複数のバッテリの積層方向の両端にエンドプレートを配置し、そのエンドプレート間を１対の下側拘束ロッドと１対の上側拘束ロッドとにより連結するバッテリ拘束構造が開示されている。
【０００５】
特開２００１−６８０８１号公報においては、直方体状の単位電池をその最大面積の側面を重ねるように、かつ各単位電池間に冷却媒体通路を形成した状態で並列配置して、単位電池の配列方向の両端に配設したエンドプレートを拘束バンドで緊締して一体化してなる組電池が開示されている。この組電池は、組電池の長側面に適当間隔おきに複数の拘束バンドを配設し、かつその拘束バンドは、組電池の長側面に対して垂直方向の寸法が平行方向の寸法以上の、断面形状が長方形の板材や断面形状が円形の丸棒やパイプ材にて構成されていることが開示されている。
【０００６】
特開平１１−１２０９６３号公報においては、有底矩形筒形状に形成された樹脂製の電槽内に発電要素を収容し、樹脂製の蓋体により電装の開口部を封止されてなる単電池を、複数個直列配置し、これらを電気接続体で電気的に接続した集合型密閉ニ次電池が開示されている。この二次電池においては、各電池の電槽をエンドプレートと拘束バンドを用いて拘束し、これら電槽を一体的に結合することが開示されている。
【０００７】
特開２００５−３３９９２９号公報においては、平板状のニ次電池をエンドプレートで挟んでなる電池モジュールの製造方法であって、ニ次電池とエンドプレートとを積層し、その積層体に対して厚み方向に反復的に荷重をかけ、その後その積層体を拘束する電池モジュールの製造方法が開示されている。この電池モジュールにおいては、エンドプレート同士がテンションプレートとリベットとによって互いに固定されることが開示されている。
【特許文献１】特開２００２−３４３３２４号公報
【特許文献２】特開２００１−６８０８１号公報
【特許文献３】特開平１１−１２０９６３号公報
【特許文献４】特開２００５−３３９９２９号公報
【発明の開示】
【発明が解決しようとする課題】
【０００８】
電池モジュールにおいては、複数の電池セルが積層されて積層体が構成され、この積層体の両側にエンドプレートが配置されている。両側のエンドプレート同士が、たとえば拘束ロッドとしての丸棒で固定されることにより一体化されている。
【０００９】
電池セルの積層方向においては、拘束ロッドとエンドプレートとの結合部分には、電池セルが積層されている方向に大きな力が加わる。または、拘束ロッド自体に大きな力が加わる。このため、拘束ロッドをある程度の大きさの径を有するものにする必要があった。この結果、電池モジュールの高さが高くなっていた。また、拘束ロッドとエンドプレートの結合部分にも大きな力が加わるため、エンドプレートを金属で形成する必要があった。この結果、電池モジュールの重量が重たくなっていた。
【００１０】
このように、従来の技術においては、エンドプレートおよび拘束ロッドの部分を強化するために、電池モジュールの大きさが大きくなるという問題があった。また、重量が重たくなるとともに高価になるという問題があった。
【００１１】
本発明は、複数の電池セルを含み、エンドプレートの少なくとも一方が樹脂で形成された蓄電モジュールを提供することを目的とする。
【課題を解決するための手段】
【００１２】
本発明に基づく蓄電モジュールは、蓄電セルが一の積層方向に積層された積層体を備える。上記積層体の上記積層方向の両端に配置されたエンドプレートを備える。上記両端に配置された上記エンドプレート同士を締結する拘束部材を備える。上記両端に配置された上記エンドプレートのうち少なくとも一方は、樹脂で形成されている。上記拘束部材は、上記積層方向に延びる板状に形成されている。上記拘束部材は、上記積層方向に対してほぼ垂直な向きに曲がるように形成された曲がり部を端部に有する。上記拘束部材は、上記エンドプレートの表面のうち、上記積層体と接触する表面と反対側の表面において、上記端部が締結部材によって上記エンドプレートに固定されている。この構成により、複数の電池セルを含み、上記エンドプレートの少なくとも一方が樹脂で形成された蓄電モジュールを提供することができる。また、蓄電モジュールの小型化を図ることができる。
【００１３】
上記発明において好ましくは、上記締結部材は、リベットを含む。この構成により、蓄電モジュールをより小型にすることができる。
【００１４】
上記発明において好ましくは、上記蓄電セルは、電極を有する。上記電極は、上記積層体の表面のうち、上記拘束部材が配置されている表面から飛び出すように形成されている。上記拘束部材は、上記電極よりも高さが低くなっている。
【００１５】
上記発明において好ましくは、上記積層体は、上記蓄電セルを上記積層方向に挟み込むように固定するための枠部材を含む。上記枠部材は、上記蓄電セルから排出されるガスを流通させるための排ガス流路部を含む。上記排ガス流路部は、上記積層方向に延びるように形成されている。上記排ガス流路部は、上記積層体の表面のうち、上記拘束部材が配置されている表面から突出するように形成されている。上記拘束部材は、上記排ガス流路部よりも高さが低くなっている。
【発明の効果】
【００１６】
本発明によれば、複数の電池セルを含み、エンドプレートの少なくとも一方が樹脂で形成された蓄電モジュールを提供することができる。
【発明を実施するための最良の形態】
【００１７】
図１から図７を参照して、本発明に基づく実施の形態における蓄電モジュールについて説明する。
【００１８】
図１は、本実施の形態における蓄電モジュールとしての電池モジュールの概略斜視図である。本実施の形態における電池モジュール１０は、ガソリンエンジンやディーゼルエンジン等の内燃機関と、充放電可能な２次電池とを動力源とするハイブリッド自動車に搭載されている。
【００１９】
電池モジュール１０は、蓄電セルとしての電池セル３３を備える。電池モジュール１０は、複数の電池セル３３が積層された積層体を備える。複数の電池セル３３は、電池セル３３の厚み方向に積層されている。矢印８９は、電池セル３３の積層方向を示す。本実施の形態における電池モジュール１０は、電池セル３３の積層された列が２列形成されている。
【００２０】
本実施の形態における電池セル３３は、平板状に形成されている。電池セル３３は、角型の電池セルである。電池セル３３は、リチウムイオン電池を含む。複数の電池セル３３は、図示しないバスバーにより、互いに電気的に接続されている。
【００２１】
電池モジュール１０の積層体は、それぞれの電池セル３３を挟持するように配置された枠部材としての電池ホルダ１５を含む。電池セル３３の積層方向において、隣り合う電池セル３３同士の間には、枠部材としての電池ホルダ１５が配置されている。電池ホルダ１５は、電池セル３３を挟み込んでいる。一の電池セル３３は、一の電池セル３３の両側に配置された２つの電池ホルダ１５によって積層方向に挟持されている。電池ホルダ１５は、電池セル３３の積層方向に並べられている。本実施の形態においては、電池セル３３の積層方向において、電池セル３３と電池ホルダ１５とが交互に配置されている。
【００２２】
電池ホルダ１５は、絶縁性材料から形成されている。電池ホルダ１５は、たとえば、ポリプロピレン（polypropylene）やポリプロピレンの重合体等の樹脂材料から形成されている。電池ホルダ１５は、表面に樹脂がコーティングされた金属から形成されても良い。電池ホルダ１５は、積層方向に隣り合う電池セル３３同士の間を電気的に絶縁している。
【００２３】
電池モジュール１０は、電池セルの積層体の積層方向の端部に配置されたエンドプレート４０を含む。本実施の形態におけるエンドプレート４０は、板状に形成されている。本実施の形態におけるエンドプレート４０は、樹脂によって形成されている。エンドプレート４０は、電池セル３３および電池ホルダ１５を、積層方向の両側から挟み込むように配置されている。エンドプレート４０は、積層体の両端に配置されている。
【００２４】
電池モジュール１０は、拘束部材としての拘束バンド４２を備える。拘束バンド４２は、板状に形成されている。拘束バンド４２は、長手方向を有するように形成されている。拘束バンド４２は、長手方向が電池セル３３の積層方向に延びるように配置されている。本実施の形態における拘束バンド４２は、強度が十分に確保できるように厚さおよび幅が調整されている。
【００２５】
拘束バンド４２は、エンドプレート４０同士を互いに締結するように配置されている。拘束バンド４２は、締結部材としてのリベット５０によってエンドプレート４０に固定されている。拘束バンド４２は、電池セル３３を積層方向に拘束するように配置されている。複数の電池ホルダ１５は、拘束バンド４２によって一体的に保持されている。
【００２６】
電池ホルダ１５は、排ガス流路部３０を有する。排ガス流路部３０は、電池セル３３から排出されたガスを流通させる排ガス流路を構成している。排ガス流路部３０は、凸形状に形成されている。排ガス流路部３０は、電池ホルダ１５の表面から突出するように形成されている。排ガス流路部３０は、内部が空洞になるように形成されている。本実施の形態における排ガス流路部３０は、断面形状がコの字形になるように形成されている。
【００２７】
それぞれの電池ホルダ１５の排ガス流路部３０は、互いに連通するように配置されている。排ガス流路部３０は、電池セル３３の積層方向に沿って延びている。排ガス流路部３０の端部には、排気管３１が接続されている。本実施の形態における電池パックは、本体に図示しない安全弁を備える。この安全弁は、電池ホルダ１５の内部の空気圧が設定値以上になると開くように形成されている。安全弁が開くと、排ガス流路部３０および排気管３１を通じて、外部に電池ホルダ１５内部の空気を放出できるように形成されている。
【００２８】
図２に、本実施の形態における電池モジュールの電池セルと電池ホルダの部分の分解斜視図を示す。図３に本実施の形態における電池モジュールの概略断面図を示す。図３は、図１におけるＩＩＩ−ＩＩＩ線に関する矢視断面図である。
【００２９】
図１から図３を参照して、本実施の形態における電池セル３３は、電極３３ａを有する。電極３３ａは、板状に形成されている。電極３３ａは、電池セル３３の端面から突出するように形成されている。電極３３ａは、電池ホルダ１５の外部に向かうように形成されている。電極３３ａは、電池ホルダ１５の表面２２から飛び出すように形成されている。表面２２は、電池ホルダ１５の表面のうち拘束バンド４２が配置されている表面である。電池ホルダ１５は、電極３３ａが互いに隣り合う電池ホルダ１５同士の間から露出するように形成されている。
【００３０】
電池セル３３は、互いに対向する一対の表面３３ｂを有する。表面３３ｂは、電池セル３３の複数の表面のうち最も大きい面積を有する面積最大面である。複数の電池セル３３は、それぞれの表面３３ｂ同士が互いにほぼ平行になるように配置されている。
【００３１】
電池ホルダ１５は、ベース部２１を含む。ベース部２１は、リブ２１ａを有する。リブ２１ａは、線状に形成されている。リブ２１ａは、ベース部２１の表面から突出するように形成されている。リブ２１ａは、互いに間隔を隔てて複数形成されている。なお、リブ２１ａに替えて、ドット状に配置されるボスを設けても良いし、リブとボスとを組み合わせて設けても良い。
【００３２】
リブ２１ａは、電池セル３３の表面３３ｂに当接している。電池セル３３は、一の電池ホルダ１５のリブ２１ａと、対向する電池ホルダ１５の裏面とに押圧されることによって電池セル３３の積層方向に挟持されている。
【００３３】
電池ホルダ１５は、開口部１６，１７を有する。本実施の形態における開口部１６，１７は、電池ホルダ１５の側面を切欠くことにより形成されている。リブ２１ａ同士の間には、冷却風を流通させるための冷却風の流路１００が形成されている。
【００３４】
電池モジュール１０は、矢印９０に示すように、冷却空気が開口部１６から取り込まれ、冷却風の流路１００を通って開口部１７から排出される。電池セル３３は、電池セル３３の表面３３ｂに沿って空気が流れることにより冷却される。電池セル３３は、流路１００を通る空気により冷却される。
【００３５】
本実施の形態における拘束バンド４２は、電池セル３３の電極３３ａよりも高さが低くなるように形成されている。また、拘束バンド４２は、電池ホルダ１５の排ガス流路部３０よりも高さが低くなるように形成されている。
【００３６】
本実施の形態における拘束バンド４２は、断面形状において曲がるように形成された曲がり部４２ａを端部に有する。本実施の形態においては、拘束バンド４２の端部の断面形状がＬ字形になるように形成されている。曲がり部４２ａは、積層方向に対してほぼ垂直な向きに曲がるように形成されている。曲がり部４２ａは、エンドプレート４０の縁の形状に沿って曲がるように形成されている。
【００３７】
拘束バンド４２は、エンドプレート４０の表面のうち積層体と接触する表面と反対側の表面において、エンドプレート４０に固定されている。拘束バンド４２は、長手方向の両側の端部に曲がり部４２ａが形成されることによって、表面が積層方向にほぼ垂直になる部分を有する。この部分が、エンドプレート４０に固定されている。エンドプレート４０は、拘束バンド４２の端部に挟み込まれるように固定されている。
【００３８】
本実施の形態における拘束バンド４２は、リベット５０によってエンドプレート４０に固定されている。リベット５０は、矢印８９に示す積層体の積層方向に延びるように配置されている。リベット５０は、積層体の積層方向に挿入されている。
【００３９】
図４に、本実施の形態における拘束バンドをエンドプレートに固定した部分の拡大概略断面図を示す。リベット５０は、芯棒５０ａと円筒部５０ｂとを有する。円筒部５０ｂは変形部５０ｃを有する。変形部５０ｃは、リベット５０を固定する前には、たとえば筒状である。
【００４０】
リベットを固定するときには、矢印９１に示すように、芯棒５０ｄの位置から芯棒５０ａの位置まで移動することにより、変形部５０ｃが、外側に向かって膨らむ。変形部５０ｃが膨らむことにより、拘束バンド４２の端部と、エンドプレート４０とが固定される。この後に、芯棒５０ａの外側に飛び出した部分を切断する。
【００４１】
図５に、本実施の形態における第１の比較例としての電池モジュールの概略斜視図を示す。第１の比較例としての電池モジュールは、エンドプレート４３と拘束ロッド４５とを備える。拘束ロッド４５は、丸棒である。拘束ロッド４５と、エンドプレート４３とは、ナット５４によって固定されている。矢印８９に示す積層方向に沿って、拘束ロッド４５に力が加わる。矢印８９に示す電池セルの積層方向において、積層体が広がろうとする反力が生じる。拘束ロッド４５とエンドプレート４３との結合部分に大きな力が加わる。エンドプレート４３における拘束ロッド４５の固定部分には、大きな強度が必要である。このため、エンドプレート４３は、金属で形成されている。
【００４２】
拘束ロッド４５自体にも大きな引張り力が働くため、拘束ロッド４５は、十分に大きな断面積（十分に大きな径）を必要とする。このために、拘束ロッド４５が太くなり、電池モジュールの高さが高くなっていた。
【００４３】
図６に、本実施の形態における第２の比較例としての電池モジュールの概略斜視図を示す。第２の比較例としての電池モジュールは、エンドプレート４４と拘束バンド４７とを備える。拘束バンド４７は板状に形成されている。拘束バンド４７は、曲がり部を有さずに、側方から見たときに直線状に形成されている。
【００４４】
拘束バンド４７は、リベット５０によって、エンドプレート４４に固定されている。拘束バンド４７は、エンドプレート４４の表面のうち、電池セルおよび電池ホルダ１５の積層体に接触する表面と垂直な表面に固定されている。リベット５０は、矢印８９に示す積層方向に垂直な方向に延びるように固定されている。
【００４５】
第２の比較例としての電池モジュールにおいては、矢印８９に示す積層方向の外側に向かってエンドプレート４４が移動しようとする力が生じる。リベット５０の延びる方向と力の加わる方向とはほぼ垂直になる。このため、リベット５０には、矢印８９に沿うせん断応力が加わる。また、拘束バンド４７には、リベット５０が挿通されている穴の部分に力が加わる。拘束バンド４７とエンドプレート４４との結合部分には大きな力が加わるため、エンドプレート４４は、金属で形成しなければならなかった。
【００４６】
図１から図３を参照して、本実施の形態における拘束バンド４２は、曲がり部４２ａを有し、エンドプレートの表面のうち、積層体と接触する表面と反対側の表面において、拘束バンド４２の端部がエンドプレート４０に固定されている。矢印８９に示す積層方向と、ほぼ平行な方向にリベット５０が挿入されている。電池セル３３および電池ホルダ１５を積層して拘束バンド４２で拘束したときの反力は、矢印８９に示す積層方向とほぼ平行になる。すなわち、反力は矢印９３に示すリベットが挿入されている方向になる。
【００４７】
たとえば、電池ホルダ１５が樹脂で形成され、積層方向に対して圧力を加えた後にエンドプレート同士を固定する方法においては、電池セルの積層方向において、電池ホルダ１５が広がろうとする反力が生じる。
【００４８】
本実施の形態における電池モジュールにおいては、拘束バンド４２を、エンドプレート４０に固定する端部に曲がり部４２ａが形成されているため、積層体からの反力を、矢印９３に示す積層方向に平行な方向と、矢印９２に示す積層方向に垂直な方向とに分割することができる。特に、矢印９３に示す積層方向の力を、拘束バンド４２とエンドプレート４０との結合部分に集中させることなく、曲がり部４２ａの全体に負担させることができる。このように、拘束バンド４２とエンドプレート４０との結合部分に加わる力を減少させることができ、エンドプレート４０として樹脂で形成されたものを用いても、十分な強度および耐久性を有する。また、エンドプレート４０が樹脂で形成されているため、電池モジュールの軽量化を図ることができる。または、安価な電池モジュールを提供することができる。
【００４９】
また、図５に示す第１の比較例の電池モジュールにおいては、拘束部材が拘束ロッド４５を含むために、電池モジュールが高くなっていた。特に、電池セルの電極３３ａの高さよりも拘束ロッド４５の高さのほうが高くなっていた。または、排ガス流路部３０よりも拘束ロッド４５の高さのほうが高くなっていた。
【００５０】
図１から図３を参照して、本実施の形態における電池モジュールは、拘束バンドが板状に形成されている。拘束バンド４２は、電池セル３３の電極３３ａの高さよりも低くすることができる。または、拘束バンド４２は、電池ホルダ１５の排ガス流路部３０よりも高さを低くすることができる。このように、本実施の形態における電池モジュールは、軽量化および小型化を図ることができる。
【００５１】
特に、自動車に搭載する蓄電パックにおいては、人が乗るための居室の内部や荷物を積むための荷室の内部などに蓄電パックを配置する場合があり、蓄電パックの小型化は重要な課題である。本実施の形態における蓄電モジュールは、蓄電パックの小型化を図ることができ、小さな空間に蓄電パックを配置することができる。
【００５２】
また、電池モジュールにおいて、電池セルを挟み込んでいる電池ホルダは、絶縁性を確保して軽量化を図るために樹脂などで形成されている。一方で、図５および図６に示す比較例としての電池モジュールにおいては、エンドプレートが強度を確保するために金属で形成されている。エンドプレートが金属で形成されている場合には、エンドプレートの放熱性に優れる。このために、積層体の積層方向のほぼ中央部の電池セルよりも、エンドプレート近傍の電池セルの方がよく冷却される。このように、エンドプレートを金属で形成すると、内部の複数の電池セルが不均一に冷却される場合があった。しかしながら、エンドプレートを樹脂で形成することにより、積層方向に対して電池セルをほぼ均一に冷却することができる。
【００５３】
本実施の形態においては、拘束バンドと、エンドプレートとを固定する締結部材として、リベットが用いられている。この構成により、締結部材が外側に突出したりすることを回避でき、電池モジュールの小型化を図ることができる。締結部材としては、この形態に限られず、任意の部材によって、拘束部材をエンドプレートに固定することができる。
【００５４】
図７に、本実施の形態における他の電池モジュールのエンドプレートと拘束バンドとの結合部分の拡大概略断面図を示す。
【００５５】
本実施の形態における他の電池モジュールは、拘束バンド４２とエンドプレート４１とがボルト５２によって固定されている。すなわち、締結部材としてボルト５２およびナット５３が用いられている。ナット５３は、エンドプレート４１に固定されている。拘束バンド４２をボルト５２によって固定することにより、拘束バンド４２とエンドプレート４１とが固定されている。
【００５６】
拘束バンド４２とエンドプレート４１とを締結する締結部材としてボルトを用いることにより、組立て後においても容易に拘束バンドを取り外して電池モジュールを分解することができる。
【００５７】
本実施の形態におけるナット５３は、エンドプレート４１を樹脂成型する際に固定されている。ナット５３は、エンドプレート４１を形成した後に、エンドプレート４１に埋込んだり圧入されたりしていても構わない。
【００５８】
本実施の形態における電池モジュールは、一方の側が３箇所および他方の側が３箇所ずつエンドプレート同士を固定しているが、この形態に限られず、任意の個数および位置において、拘束バンドでエンドプレート同士を固定することができる。
【００５９】
また、本実施の形態においては、蓄電セルの積層体の両側に配置されたエンドプレートが共に樹脂で形成されているが、この形態に限られず、いずれか一方のエンドプレートが樹脂で形成されていても構わない。また、本実施の形態におけるエンドプレートは平板状に形成されているが、この形態に限られず、任意の形状を採用することができる。さらに、本実施の形態においては、エンドプレートの表面が平面状に形成されているが、この形態に限られず、表面にリブ等が形成されていても構わない。
【００６０】
本実施の形態における電池セルは、リチウムイオン電池であるが、この形態に限られず、任意の電池セルを備える電池モジュールに本発明を適用することができる。たとえば、電池セルは、ニッケル水素電池を含んでいてもよい。また、蓄電セルとしては、この形態に限られず、電気を蓄える機能を有していればよい。たとえば、蓄電セルは、キャパシタを含んでいてもよい。
【００６１】
また、本実施の形態における蓄電セルは、平板状に形成されているが、この形態に限られず、任意の形状の蓄電セルを含む蓄電モジュールに本発明を適用することができる。
【００６２】
本実施の形態においては、ハイブリッド車両のうち、燃費最適動作点で内燃機関を駆動するハイブリッド車両を例に取り上げて説明したが、この形態に限られず、燃料電池と２次電池とを駆動源とする燃料電池ハイブリッド車両（ＦＣＨＶ：Fuel Cell Hybrid Vehicle）または電気自動車（ＥＶ：Electric Vehicle）にも本発明を適用することもできる。  
【００６３】
さらに、本発明は、自動車に配置される蓄電モジュールに限られず、任意の蓄電セルが積層された蓄電モジュールに適用することができる。
【００６４】
上述のそれぞれの図において、同一または相当する部分には、同一の符号を付している。
【００６５】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【図面の簡単な説明】
【００６６】
【図１】実施の形態における電池モジュールの概略斜視図である。
【図２】実施の形態における電池ホルダと電池セルの部分の拡大分解斜視図である。
【図３】実施の形態における電池モジュールの概略断面図である。
【図４】実施の形態における電池モジュールの締結部材の部分の拡大概略断面図である。
【図５】実施の形態における第１の比較例としての電池モジュールの端部の概略斜視図である。
【図６】実施の形態における第２の比較例としての電池モジュールの端部の概略斜視図である。
【図７】実施の形態における他の電池モジュールの締結部材の部分の拡大概略断面図である。
【符号の説明】
【００６７】
１０  電池モジュール、１５  電池ホルダ、１６，１７  開口部、２１  ベース部、２１ａ  リブ、２２  表面、３０  排ガス流路部、３１  排気管、３３  電池セル、３３ａ  電極、３３ｂ  表面、４０，４１，４３，４４  エンドプレート、４２，４７  拘束バンド、４２ａ  曲がり部、４５  拘束ロッド、５０  リベット、５０ａ，５０ｄ  芯棒、５０ｂ  円筒部、５０ｃ  変形部、５２  ボルト、５３，５４  ナット、８９〜９３  矢印、１００  流路。
【図１】
2008053019.tif 000003
【図２】
2008053019.tif 000004
【図３】
2008053019.tif 000005
【図４】
2008053019.tif 000006
【図５】
2008053019.tif 000007
【図６】
2008053019.tif 000008
【図７】
2008053019.tif 000009